(57)【要約】      （修正有）【課題】通信に支障をきたさず、装飾性の高い、蒔絵装飾を施したＩＣカードを提供する。【解決手段】ＩＣカード１００は、蒔絵装飾を施した漆芸装飾部１０４を備えるＩＣカードであって、ＩＣカード本体１０１と、蒔絵図柄を構成する粉材を保持する下地層１０３と、下地層とＩＣカード本体とを密着させる接着層１０２とを備える。また、地下層の上に図柄を保護する保護層１０５をさらに備える。【選択図】図２
0003188672.tif 000002
【実用新案登録請求の範囲】
【請求項１】
蒔絵装飾を施した漆芸装飾部を備えるＩＣカードであって、
ＩＣカード本体と、
蒔絵図柄を構成する粉材を保持する下地層と、
前記下地層と前記ＩＣカード本体とを密着させる接着層とを、備えるＩＣカード。
【請求項２】
前記下地層の上に設けられて、前記図柄を保護する保護層をさらに備える、請求項１に記載のＩＣカード。
【考案の詳細な説明】
【技術分野】
【０００１】
本考案は、蒔絵装飾が施されたＩＣカードに関する。
【背景技術】
【０００２】
ＩＣ（Ｉｎｔｅｇｒａｔｅｄ  Ｃｉｒｃｕｉｔ）カードとは集積回路が内蔵されたカードのことであり、キャッシュカード、クレジットカード、セキュリティカード、交通系カードなどとして利用される。従来の磁気カードに比べ大量の情報を記録でき偽造されにくいという特徴を持つため近年需要が高まってきた。ＩＣカードは大きく接触型と非接触型に分類される。接触型ＩＣカードとはカード端末機のリーダ／ライタ端子と接触するモジュール端子を持つタイプで、カードと端子が直接接触して通信を行う。一方、非接触型ＩＣカードとはカード内部にアンテナの役目を果たすコイルが内蔵されているタイプで、端末のリーダ／ライタから発生している磁界に近づけられることにより無線通信でデータのやりとりができる。
【０００３】
ところで、ＩＣカードの表面には一般的にロゴなどが印刷または塗装されている。ＩＣカードの普及に伴いＩＣカードのデザインや装飾に対する要望が多種多様化している。記念品、贈答品、土産品などの用途によって、様々な文字や絵、図柄などの装飾が施される。
【０００４】
絵や図柄を装飾するために様々な手法が用いられている。ＩＣカードや磁気カードに装飾を施す従来の技術の一例として、図３及び図４を参照して、特許文献１に提案されている、ＩＣカードや磁気カードに付与されるデザインシートについて述べる。図３の斜視図に示すように、画像が印字されたデザインシート１６は、ＩＣカード３０の表面に貼り付けられる。
【０００５】
図４の断面図に示されるように、デザインシート１６は、インクジェットプリンタを用いて、インク２３により図柄や模様が印刷シート２０に印字されて作成される。印刷シート２０は、好ましくはプリプロピレンあるいはポリエステルを材料とする高分子フィルムであり、接着剤層２１により、台紙２２に接合されている。インク２３による図柄や模様が印刷された印刷シート２０の表面は、接着剤層２４を介して保護フィルム２５が接合される。この保護フィルム２５により、図柄や模様が保護される。
【０００６】
図５に、特許文献２に提案されている、蒔絵装飾が施されているテレホンカードを示す。テレホンカード１は、薄板状のカード基板２と、カード基板２の片面全体にわたって薄層状に形成された黒地塗膜３と、黒地塗膜３を背景としてその表面に模様が描かれた蒔絵部４とから構成されている。テレホンカード１は、カード基板２との高い密着性及び適度の弾性を有する塗膜（黒地塗膜３）をカード基板２の片面に形成したことにより、カード基板２の曲げ等に対しても塗膜が破断したり剥離したりすることのないよう考案されている。
【先行技術文献】
【特許文献】
【０００７】
【特許文献１】実用新案登録第３１７７６９２号公報
【特許文献２】実用新案登録第３００３２８１号公報
【考案の概要】
【考案が解決しようとする課題】
【０００８】
特許文献１にデザインシートは、一般的に、紙、フィルムなどの薄膜状の素材に印刷が施され、印刷面と反対の面（裏面）に糊などの接着剤が塗布されて作成される。シートを貼るだけでよいので、大量に同一の装飾が施されたＩＣカードや磁気カードを容易に作成できる。しかし、インクによる図柄では、質感や手触りといった独特の風合いを表現しづらい。
【０００９】
特許文献２に提案されている蒔絵装飾は、磁気データを記憶する磁気記憶体であるテレホンカードに施されるものである。したがって、蒔絵装飾はテレホンカードが公衆電話のカード搬送経路を通過可能な所定の寸法に形成すればよい。しかしながら、ＩＣカードに蒔絵装飾を施す場合には、磁気カードに施す場合のように単に寸法要求を満たすだけでは不十分である。つまり、ＩＣカードに施される蒔絵装飾は、生地（ＩＣカード）の上に樹脂が塗布されて形成される下地層及び、下地層に蒔かれる金粉或いは銀粉が、リーダ／ライタ端子との接触通信や、内蔵アンテナとリーダ／ライタとの非接触通信を妨げないことが要求される。
【００１０】
上述の特許文献１及び特許文献２の何れも、シート貼り付けに比べてより装飾性の高い蒔絵装飾が施されたＩＣカードを提供するものではない。本考案は、蒔絵装飾が施されたＩＣカードを提供することを目的とする。
【課題を解決するための手段】
【００１１】
上記目的を達成するために、本考案に係るＩＣカードは、蒔絵装飾を施した漆芸装飾部を備えるＩＣカードであって、ＩＣカード本体と、蒔絵図柄を構成する粉材を保持する下地層と、前記下地層と前記ＩＣカード本体とを密着させる接着層とを備える。
【考案の効果】
【００１２】
本考案によると、蒔絵装飾を施したＩＣカードを提供できる。
【図面の簡単な説明】
【００１３】
【図１】本考案に係るＩＣカードの平面図である。
【図２】図１のＩＣカードを側面から見た拡大断面図である。
【図３】特許文献１に提案されるデザインシートとＩＣカードとの展開斜視図である。
【図４】図３のＩＣカードの拡大側断面図である。
【図５】特許文献２に提案されているテレホンカードの拡大断面図である。
【考案を実施するための形態】
【００１４】
図１及び図２を参照して、本考案の実施の形態の係るＩＣカード１００について説明する。本考案に係る蒔絵装飾が施されたＩＣカード（以降、「蒔絵ＩＣカード１００」と称する）においては、基本的に市販のＩＣカードに蒔絵装飾を施して作成される。蒔絵とは、伝統的に、漆器の表面に漆で描かれた図柄の上に蒔かれた金や銀などの金属粉を固定させる漆工芸技法を言う。しかし、本考案に係る蒔絵装飾とは、伝統的な漆工芸に限定されるのではなく、蒔絵技法を用いた装飾を言う。具体的には、対象は漆器に限定されずＩＣカードとする。また、図柄の描画や下地作成には、漆以外の天然樹脂或いは合成樹脂（例えば、ウレタン樹脂）も用いられる。さらに、蒔かれる粉は金や銀に限定されず、さらに金属粉にも限定されない。
【００１５】
市販のＩＣカードには、図柄が印刷（以降、「図柄印刷」）されていたり、図柄が印刷されたシート（以降、「図柄シート」）が貼り付けられて、すでに様々なデザインの装飾が施されている。また、図柄印刷の上には保護シートが塗布されていることが多い。このような、図柄シートや図柄印刷及び保護シートは、ＩＣカードに蒔絵装飾を施す場合の妨げとなる。よって、本考案の蒔絵装飾を施す前に、ＩＣカード表面を研磨することにより、図柄シート、或いは図柄印刷及び保護シートが除去される。その後、塗装及び装飾を施して蒔絵ＩＣカード１００が作成される。表面が研磨されたＩＣカードをＩＣカード本体１０１と呼ぶ。なお、蒔絵装飾を施す場合の妨げとならない場合には、図柄シートや図柄印刷及び保護シートの除去は不要である。
【００１６】
ＩＣカード本体１０１は、アクリル塗料が塗布された後に、例えば黒色の下地用ウレタン塗料が吹き付けられて塗装される。ここで、アクリル系塗料が塗布されている層を接着層１０２、下地用ウレタン系塗料が塗布されている層を下地層１０３（伝統的な蒔絵における漆層に相当）と呼ぶ。接着層１０２は、ＩＣカード本体１０１と下地層１０３とを密着させるために施される。下地層１０３は、装飾を際立たせるために施され、光沢のある漆の風合いが表現される。
【００１７】
その後、日本の伝統工芸である漆芸技術を適用した蒔絵装飾により、文字、絵、図柄などが表現される。蒔絵とは、上述のように一般的には漆で描いた模様の上に金粉、銀粉等を蒔きつける装飾のことを指すが、本考案の実施の形態に係る蒔絵装飾は、蒔絵の風合いを表現できるものであれば、金粉、銀粉以外の材料を用いてもよい。粉が蒔きつけられている部分（以降、「蒔絵部１０４」）は、職人による手描きでは無く、機械的に装飾されてもよい。本考案においては、図１に示すように龍の模様が描かれている。
【００１８】
図２に示すように、蒔絵部１０４は、粉末が付着していることによりやや盛り上がっている。特許文献１に提案されるデザインシート１６が貼り付けられるＩＣカード３０と異なり、蒔絵ＩＣカード１００の表面には微細な凹凸ができる。この凹凸により陰影が表現できる。独特の手触りを楽しむこともできる。このように、蒔絵ＩＣカード１００は、従来にない風合いに富む装飾性を備えている。
【００１９】
また、乗車券や買い物などに利用され日常的に使用されるＩＣカードは、頻繁に人の手に触れられる。結果、装飾に用いられる粉末が剥離して装飾としての効果を失う虞がある。そこで、蒔絵部１０４の上から保護用ウレタン系塗料を塗装することにより、蒔絵装飾を剥離から保護する。保護用ウレタン系塗料が塗布されている層を保護層１０５と呼ぶ。蒔絵部１０４は、下地層１０３と保護層１０５との間に施される。
【００２０】
ところで、特許文献２に提案される、蒔絵装飾が施されているテレホンカード１は、全体の厚みを公衆電話のカード搬送経路を通過可能な寸法に形成しなければならない。よって、保護層を設けると所定の寸法を超える虞がある。ＩＣカードにおいては、チップを埋め込むための厚みが必要となるので、薄膜状の保護層を設けたとしても、テレホンカードに比べてＩＣカードの寸法（厚み）にはほとんど影響しない。
【００２１】
塗装に用いられる塗料について説明する。塗料の種類は大きく分けてアクリル系及びウレタン系塗料である。下地用ウレタン系塗料はカシューナッツ殻から採取された油を原料とするカシュー変成ウレタン系塗料であり、光沢のある漆の風合いを表現できる。
【００２２】
なお、本考案においては、下地に黒地の化学塗料を、装飾に金色の粉末を用いて蒔絵装飾を施しているが、色は制限されず多色の材料を使用できる。蒔絵の風合いを表現できるものであれば、上記以外の材料を用いてもよい。また、漆、金粉、銀粉等の自然材料を用いることができることは言うまでもない。
【００２３】
装飾の他の例として、板状に切った貝を貼り付ける螺鈿、金箔の貼り付け等を施してもよい。装飾は、ＩＣカードの表面の全体に施しても良いし、任意の箇所に部分的に施してもよい。
【００２４】
ところで、蒔絵ＩＣカード１００の表面には塗料が３層に塗り重ねられており、装飾や塗料が施されていないＩＣカードと比べシールド効果が高く、電磁波を遮蔽する。本考案の蒔絵ＩＣカード１００と、装飾及び塗装が施されていないＩＣカードとのシールド効果を測定した。１ＭＨｚ時は、３．２デシベル（蒔絵ＩＣカード１００）及び２．５デシベル（装飾なしＩＣカード）、１．５ＭＨｚ時は、３．１デシベル（蒔絵ＩＣカード１００）及び２．５デシベル（装飾なしＩＣカード）、２ＭＨｚ時は、３．３デシベル（蒔絵ＩＣカード１００）及び２．７デシベル（装飾なしＩＣカード）であった。つまり、シールド効果は装飾なしの場合とほとんど変わらない。よって、本考案に係る蒔絵ＩＣカード１００が、非接触型ＩＣカードとして構成されても、蒔絵装飾がリーダ／ライタとの非接触型通信に支障を来さないことが確認されている。なお、接触型ＩＣカードとして構成される場合には、蒔絵装飾は端子側に施されないので、リーダ／ライタとの接触通信に支障を来さないことは明らかである。
【００２５】
また、非接触型ＩＣカードを交通手段の乗車券として使用する場合、人が手に持って、改札機の読み取り部にＩＣカードをかざして利用する。装飾が施されることによりシールド効果が若干高まったとしても、通常の使用においてＩＣカードは機械に反応する距離まで近づけられるか接触させられる。つまり、ＩＣカードに本考案の蒔絵装飾が施されたとしても、通信機器としての機能は損なわれない。
【産業上の利用可能性】
【００２６】
本考案の蒔絵装飾はＩＣカードに利用できる。
【符号の説明】
【００２７】
１００  蒔絵ＩＣカード
１０１  ＩＣカード本体
１０２  接着層
１０３  下地層
１０４  蒔絵部
１０５  保護層
【図１】
0003188672.tif 000003
【図２】
0003188672.tif 000004
【図３】
0003188672.tif 000005
【図４】
0003188672.tif 000006
【図５】
0003188672.tif 000007